(57)【要約】【課題】本発明の実施形態では、電力系統の監視を容易に実行可能な電力系統監視装置を提供することを目的とする。【解決手段】本発明の電力系統監視装置は、入力手段に入力された利用者固有情報を取得する入力情報識別手段と、表示手段に任意の画像を表示させる表示処理手段と、を具備する制御装置を備える。また、電力系統設備の状態変化を示す状態変化情報を受信するサーバ通信手段と、前記利用者固有情報および前記状態変化情報に対応して事前に設定された表示項目情報を記憶する表示情報記憶手段と、前記利用者固有情報および前記状態変化情報に対応する前記表示項目情報を前記表示情報記憶手段に基づいて決定する表示指令手段と、を具備する監視制御サーバと、を備える。さらに、前記表示処理手段は、前記表示指令手段によって決定された前記表示項目情報を表示手段に表示させる。【選択図】図２
2014079063.tif 000002
【特許請求の範囲】
【請求項１】
入力手段に入力された利用者固有情報を取得する入力情報識別手段と、
電力系統設備の状態変化を示す状態変化情報を受信するサーバ通信手段と、
前記利用者固有情報および前記状態変化情報に対応して事前に設定された表示項目情報を記憶する表示情報記憶手段と、
前記表示情報記憶手段に記憶された情報に基づいて、前記利用者固有情報と前記状態変化情報とに対応する前記表示項目情報を決定する表示指令手段と、
前記表示指令手段によって決定された前記表示項目情報を表示手段に表示させる表示処理手段と、
を備える電力系統監視装置。
【請求項２】
前記入力情報識別手段と前記表示処理部とを備える制御装置を複数備える
請求項１に記載の電力系統監視装置。
【請求項３】
前記入力情報識別手段が取得した前記利用者固有情報と、当該利用者固有情報が入力された制御装置を示す制御装置情報と、を記憶する現在利用者記憶手段を備え、
前記表示指令手段は、前記入力情報識別手段が取得し、前記現在利用者記憶手段に記憶された前記利用者固有情報と、前記状態変化情報と、に対応する前記表示項目情報を前記表示情報記憶手段に基づいて決定する
請求項１または２に記載の電力系統監視装置。
【請求項４】
前前記サーバ通信手段が受信した前記状態変化情報と、当該状態変化情報に対応した時刻情報とを記憶する状態変化記憶手段を備え、
前記表示処理手段は、前記状態変化記憶手段に記憶された前記状態変化情報を前記時刻情報に基づいて、時系列順に表示させる
請求項１乃至３の何れか１項に記載の電力系統監視装置。
【発明の詳細な説明】
【技術分野】
【０００１】
本発明の実施形態は、電力系統監視装置に関する。
【背景技術】
【０００２】
従来、電力系統を構成する送電線、母線、変圧器等の電力系統設備の状態を監視するために、電力系統監視装置を用いている。この電力系統監視装置は、各電力系統設備の状態を示す設備状態情報を、ネットワークを介して遠方監視制御装置から取得している。ここで遠方監視制御装置から取得する電力系統設備情報には、上述した電力系統設備の状態に加え、電力系統設備の状態変化の情報も含まれる。
【０００３】
たとえば、設備状態情報は遮断器の開閉状態、送電線に設置された変流器によって検出された電流値、等であるのに対し、状態変化情報は遮断器が閉極状態から開極状態に変化したことを示す情報および変化した時間、保護継電装置が事故を検出したことを示す事故情報などが含まれる。
【０００４】
また、近年の電力系統監視装置は、運用箇所の集中化や高度情報化により表示する画面数が増加している。そのため、ユーザが電力系統監視装置を操作して目的の画面を表示するまでの手順が煩雑となっている。そのため、この煩雑な手順が電力系統監視装置のユーザに対して、操作ミスや操作遅延を誘発している。
【先行技術文献】
【特許文献】
【０００５】
【特許文献１】特開２０１１−３０３４号公報
【発明の概要】
【発明が解決しようとする課題】
【０００６】
本発明の実施形態では、電力系統の監視を容易に実行可能な電力系統監視装置を提供することを目的とする。
【課題を解決するための手段】
【０００７】
本発明の電力系統監視装置は、入力手段に入力された利用者固有情報を取得する入力情報識別手段と、表示手段に任意の画像を表示させる表示処理手段と、を具備する制御装置を備える。また、電力系統設備の状態変化を示す状態変化情報を受信するサーバ通信手段と、前記利用者固有情報および前記状態変化情報に対応して事前に設定された表示項目情報を記憶する表示情報記憶手段と、前記利用者固有情報および前記状態変化情報に対応する前記表示項目情報を前記表示情報記憶手段に基づいて決定する表示指令手段と、を具備する監視制御サーバと、を備える。さらに、前記表示処理手段は、前記表示指令手段によって決定された前記表示項目情報を表示手段に表示させる。
【図面の簡単な説明】
【０００８】
【図１】第１の実施形態の電力系統監視装置１と周辺装置の構成を示す図。
【図２】第１の実施形態の電力系統監視装置１の構成を示すブロック図。
【図３】第１の実施形態の識別情報記憶部１２１に記憶される識別情報の一例を示す図。
【図４】第１の実施形態の現在利用者記憶部１２３に記憶される現在利用者情報の一例を示す図。
【図５】第１の実施形態の表示情報記憶部１２４に記憶される表示情報の一例を示す図。
【図６】第１の実施形態の電力系統監視装置１の動作を示すフローチャート。
【図７】第１の実施形態の表示部１１１に表示する一例を示す図。
【図８】第１の実施形態の表示部１１１に表示する一例を示す図。
【図９】第２の実施形態の電力系統監視装置１の構成を示す図。
【図１０】第２の実施形態の状態変化記憶部１２７に記憶される状態変化情報を示す図。
【図１１】第２の実施形態の電力系統監視装置１の動作を示すフローチャート。
【発明を実施するための形態】
【０００９】
本発明の実施形態における電力系統監視装置について、図面を参照して説明する。
【００１０】
（第１の実施形態）
（構成）
第１の実施形態の電力系統監視装置の構成について、図１を用いて説明する。図１は、電力系統監視装置および周辺機器の構成を示す図である。
【００１１】
電力系統監視装置１は、ネットワーク２を介して遠方監視制御装置３−１〜３−３に接続している。遠方監視制御装置３−１〜３−３は、電力系統設備４−１〜４−３に接続している。ここで、遠方監視制御装置３−１〜３−３は、電力系統設備４−１〜４−３から設備状態情報を取得し、ネットワーク２を介して電力系統監視装置１に送信する。
【００１２】
上述した電力系統設備４−１〜４−３は、例えば遮断器、送電線、母線、変圧器等の電力系統を構成する電気機器である。また、電力系統設備４−１〜４−３の設備状態に変化（以下、状態変化と呼ぶ）が有った場合には、状態変化が発生した時刻を示す時刻情報と共に状態変化情報を電力系統監視装置１に対して送信する。
【００１３】
また、設備状態情報は遮断器の開閉状態、送電線に設置された変流器によって検出された電流値、等であるのに対し、状態変化情報は遮断器が閉極状態から開極状態に変化したことを示す情報および変化した時間、保護継電装置が事故を検出したことを示す情報などが含まれる。
【００１４】
次に、電力系統監視装置１の構成について図２を用いて説明する。図２は、電力系統監視装置１の構成を示すブロック図である。
【００１５】
電力系統監視装置１は、制御装置１１−１〜１１−３、監視制御サーバ１２、ローカルエリアネットワーク１３（以下、ＬＡＮ１３と呼ぶ）を備え、監視制御サーバ１２は、ネットワークを介して図示しない遠方監視制御装置に接続している。
【００１６】
制御装置１１−１〜１１−３は、何れも同様の構成を備えるため、以降は制御装置１１−１について説明する。制御装置１１−１は、表示部１１１、制御装置通信部１１２、入力部１１３、入力情報識別部１１４、および表示処理部１１５を備える。
【００１７】
表示部１１１は、ＬＣＤ（Liquid Crystal Display）やＣＲＴ（Cathode Ray Tube）ディスプレイ等で実現され、受信した映像を画面に表示する。
【００１８】
制御装置通信部１１２は、監視制御サーバ１２とＬＡＮ１３を介して通信を行う。
【００１９】
入力部１１３は、キーボード、マウス、タッチパネル等で実現され、制御装置１１−１の利用者が操作することによって、入力情報が入力される。ここで入力される入力情報には、各利用者の夫々に割り当てられた利用者固有情報と、各利用者が任意に設定したパスワード情報である。
【００２０】
入力情報識別部１１４は、入力部１１３に利用者が入力した入力情報を取得する。ここで利用者が入力する入力情報は、利用者固有情報およびパスワード情報であり、利用者固有情報は、各利用者の夫々に対して固有に割り当てられた情報であり、パスワード情報は利用者固有情報に対応して利用者が個別に設定可能な情報である。
【００２１】
表示処理部１１５は、表示部１１１に任意の画像を表示させる。
【００２２】
また、監視制御サーバ１２は、識別情報記憶部１２１、サーバ通信部１２２、現在利用者記憶部１２３、表示情報記憶部１２４、および表示指令部１２５を備える。
【００２３】
識別情報記憶部１２１は、記憶媒体により実現され、利用者の識別情報を記憶しており、制御装置１１−１の入力情報識別部１１４からアクセス可能に構成されている。識別情報記憶部１２１が記憶している識別情報について図３を用いて説明する。図３は、識別情報の一例を示す表である。識別情報は、利用者固有情報とパスワード情報とを含む。ここでの利用者固有情報は、制御装置１１−１〜１１−３を操作する各利用者の夫々に対して固有に割り当てられた情報であり、パスワード情報は利用者固有情報に対応して利用者が個別に設定可能な情報である。
【００２４】
サーバ通信部１２２は、ＬＡＮ１３に接続しており制御装置１１−１〜１１−３と通信を行う。また、ネットワーク２を介して、図示しない遠方監視制御装置と通信を行う。
【００２５】
現在利用者記憶部１２３は、記憶媒体により実現され、制御装置１１−１の入力情報識別部１１４により識別された利用者を示す現在利用者情報を記憶しており、制御装置１１−１の入力情報識別部１１４からアクセス可能に構成されている。現在利用者記憶部１２３が記憶している現在利用者情報について図４を用いて説明する。図４は、現在利用者情報の一例を示す表である。現在利用者情報は、制御装置情報と利用者固有情報とを含む。ここでの制御装置情報は、制御装置１１−１〜１１−３の夫々に対して固有に割り当てられた情報であり、利用者固有情報は、識別情報記憶部１２１に記憶される利用者固有情報と同様である。
【００２６】
表示情報記憶部１２４は、記憶媒体により実現され、制御装置１１−１の表示部１１１に対して表示処理部１１５が表示させるための表示情報を記憶する。表示情報記憶部１２４が記憶している表示情報について図５を用いて説明する。図５は、表示情報の一例を示す表である。表示情報は、利用者固有情報、状態変化情報、及び表示項目情報を含む。ここでの利用者固有情報は、識別情報記憶部１２１および現在利用者記憶部１２３に記憶される利用者固有情報と同様である。状態変化情報は、設備状態に変化が有ったことを示す情報である。表示項目情報は、制御装置１１−１の表示部１１１に対して表示処理部１１５が表示する項目を示す情報である。
【００２７】
ここで表示情報記憶部１２４に記憶される表示項目情報は、状態変化一覧、所管電力系統図、変電所単線結線図、遮断器操作画面等である。状態変化一覧は、現時刻から任意の時間以内に発生した電力系統設備の状態変化の一覧を示す。所管電力系統図は、電力系統監視装置１の所有者の所管内の電力系統の図である。変電所単線結線図は、所管内の電力系統における任意の変電所の単線結線図である。遮断器操作画面は、任意の遮断器の開極あるいは閉極の制御をおこなうための画面である。
【００２８】
表示指令部１２５は、制御装置１１−１の表示処理部１１５に対して、表示指令情報を出力する。
【００２９】
（作用）
次に、上述した電力系統監視装置１の作用について図６を用いて説明する。図６は、電力系統監視装置１の動作を示すフローチャートである。電力系統監視装置１は以下のステップを実行する。
【００３０】
・入力部１１３が、利用者から利用者固有情報およびパスワード情報を示す入力情報を取得するステップ（Ｓ６１）。
【００３１】
・入力情報識別部１１４が、監視制御サーバ１２の識別情報記憶部１２１に記憶された識別情報と、入力部１１３に入力された入力情報とを比較し、入力情報と識別情報とが一致するか否かを判断するステップ（Ｓ６２）。
【００３２】
・入力情報と識別情報とが一致すると判断された場合（Ｓ６２のＹＥＳ）、入力情報識別部１１４が、制御装置情報と利用者固有情報とを現在利用者記憶部１２３に記憶するステップ（Ｓ６３）。
【００３３】
・サーバ通信部１２２が、ネットワーク２を介して図示しない遠方監視制御装置から状態変化情報を受信したことを検出するステップ（Ｓ６４）。
【００３４】
・表示指令部１２５が、受信した状態変化情報と、現在利用者記憶部１２３に記憶された利用者固有情報と、表示情報記憶部１２４に記憶された表示情報に基づいて、表示項目情報を決定するステップ（Ｓ６５）。
【００３５】
・表示指令部１２５が、表示項目情報を決定するステップ（Ｓ６５）にて決定した表示項目情報を、制御装置１１−１の表示処理部１１５に送信するステップ（Ｓ６６）。
【００３６】
・表示処理部１１５が、受信した表示項目情報を表示部１１１に表示させるステップ（Ｓ６７）。
【００３７】
ここで、入力情報と識別情報とが一致するか否かを判断するステップ（Ｓ６２）にて、一致しないと判断された場合（Ｓ６２のＮＯ）にはフローを終了する。
【００３８】
次に、電力系統監視装置１の動作について、具体例を用いて説明する。ここでは、利用者固有情報「A12345」が割り当てられた「利用者Ａ」が制御装置１１−１を利用している際に、「Ａ送電線地絡」が発生したことを示す状態変化情報を受信した場合について、フローチャートの動作に対応させて説明する。
【００３９】
まず入力部１１３が、利用者Ａから入力された入力情報を示す利用者固有情報「A12345」およびパスワード情報「abc」を取得する（Ｓ６１）。
【００４０】
次に、入力情報識別部１１４が、監視制御サーバ１２の識別情報記憶部１２１に記憶された識別情報と、入力部１１３に入力された入力情報とを比較して一致したと判断する（Ｓ６２のＹＥＳ）。
【００４１】
次に、入力情報識別部１１４が、制御装置情報「制御装置１１−１」と利用者固有情報「A12345」を現在利用者記憶部１２３に記憶する（Ｓ６３）。
【００４２】
次に、サーバ通信部１２２が、ネットワーク２を介して図示しない遠方監視制御装置から状態変化情報「Ａ送電線地絡」を受信したことを検出する（Ｓ６４）。
【００４３】
次に、表示指令部１２５が、表示情報記憶部１２４に記憶された表示情報に基づいて、状態変化情報「Ａ送電線地絡」と利用者固有情報「A12345」とから、表示項目情報「状態変化一覧」「所管電力系統図」を決定する（Ｓ６５）。
【００４４】
次に、表示指令部１２５が、表示項目情報「状態変化一覧」「所管電力系統図」を制御装置１１−１の表示処理部１１５に送信する（Ｓ６６）。
【００４５】
最後に、表示処理部１１５が、受信した表示項目情報「状態変化一覧」「所管電力系統図」を表示部１１１に表示させる（Ｓ６７）。ここで、表示部１１１に表示させる表示項目情報は、図７に示す様に表示部１１１を複数の表示欄に分割して表示しても良く、この場合には利用者が各表示項目情報を選択すると、分割された複数の表示欄のうち表示項目情報が表示されていない表示欄に、各々の表示項目情報に対応した画面を表示する。また、表示項目情報は図８に示す様にサムネイル画像と共に表示しても良い。
【００４６】
（効果）
本実施形態によれば、利用者固有情報および状態変化情報に基づいて、表示部１１１に表示項目情報を表示することが可能となり、各利用者に応じた表示項目情報を表示させることが可能となる。つまり、経験の浅い利用者は多くの表示項目情報を表示したり、経験の多いベテラン利用者は限定した表示項目情報を表示したりすることも可能である。さらに各利用者に割り当てられた電力系統の管轄範囲（例えば、利用者ＡはＸ地域、利用者ＢはＹ地域など）に応じて表示項目情報を表示することも可能となる。このように各利用者に応じた表示項目情報を表示することによって、電力系統の監視を容易に実行可能な電力系統監視装置を提供できる。
【００４７】
さらに、図７に示す様に複数の表示欄に分割して表示させることによって、上述した効果に加えて利用者の視認性、操作性が向上し、さらに容易に電力系統の監視を実行可能な電力系統監視装置を提供できる。また、図８に示す様に表示項目情報と共に事前に割り当てられた対応するサムネイル画像を表示させることによって、利用者は直感的な操作が可能となる。
【００４８】
（第２の実施形態）
（構成）
第２の実施形態の電力系統監視装置の構成について図９を用いて説明する。図９は第２の実施形態の電力系統監視装置１の構成を示すブロック図である。図１に示す第１の実施形態の電力系統監視装置１と同一の構成には同一の符号を付し、説明は省略する。
【００４９】
本実施形態の電力系統監視装置１の構成が、第１の実施形態の電力系統監視装置１の構成と異なる点は、状態変化処理部１２６、状態変化記憶部１２７を新たに備える点である。
【００５０】
状態変化処理部１２６は、記憶媒体に格納され、ＣＰＵにて実行されるプログラムにて実現され、サーバ通信部１２２が受信した状態変化情報を、記憶媒体により実現された状態変化記憶部１２７に記憶させる。ここで、サーバ通信部１２２が受信する状態変化情報には、状態変化が発生した時刻情報が付加されている、状態変化処理部１２６は状態変化情報と共に時刻情報を併せて記憶させる。また、状態変化発生から復帰までの復旧操作及びその際の電力系統情報（例えば電気量など）を併せて記憶している。
【００５１】
状態変化記憶部１２７に記憶される状態変化情報及び時刻情報について図１０を用いて説明する。図１０は状態変化記憶部１２７に記憶される状態変化情報および時刻情報の一例を示す表である。ここでは例えば、「Ａ送電線地絡」が「2012年1月1日  15時23分45秒」に発生し、それに伴う操作を示す操作情報および電力系統データを記憶している。また、「Ｂ変圧器短絡」が「2012年1月1日  15時23分50秒」に発生したことを示している。この図１０で示した状態変化情報や時刻情報は一例であり、時刻情報は、マイクロ秒やナノ秒のオーダーまで記憶しても良い。また、状態変化が発生した時刻でなくとも、サーバ通信部１２２が受信した時刻を図示しない内部時計から受信して時刻情報として記憶しても良い。
【００５２】
（作用）
次に、第２の実施形態の電力系統監視装置１の作用について図１１を用いて説明する。図１１は、電力系統監視装置１の動作を示すフローチャートである。図６に示す第１の実施形態の電力系統監視装置１と同一のステップには同一の符号を付し、説明は省略する。
【００５３】
本実施形態の電力系統監視装置１の動作が、第１の実施形態の電力系統監視装置１の動作と異なる点は、状態変化一覧の項目が選択されたことを検出するステップ（Ｓ６８）と、状態変化情報を時系列で表示するステップ（Ｓ６９）を備える点である。
【００５４】
次に、第２の実施形態で新たに追加したステップ（Ｓ６８、Ｓ６９）について詳しく説明する。表示項目情報を表示部１１１に表示するステップ（Ｓ６７）を実行した後、電力系統監視装置１は以下のステップを実行する。
【００５５】
・表示処理部１１５が、表示項目情報のうち状態変化の一覧を表示させる項目を示す状態変化一覧を、利用者が入力部１１３を操作することで選択されたことを検出するステップ（Ｓ６８）。
【００５６】
・表示処理部１１５が、制御装置通信部１１２およびサーバ通信部１２２を介して、監視制御サーバ１２の状態変化記憶部１２７に記憶された状態変化情報および時刻情報を取得し、表示部１１１に時系列順に表示させるステップ（Ｓ６９）
（効果）
本実施形態によれば、第１の実施形態の効果に加え、状態変化処理部１２６が状態変化情報を時刻情報と併せて状態変化記憶部１２７に記憶することによって、表示部１１１に状態変化情報を時系列で表示させることが可能となり、利用者が電力系統の状態変化の状況を把握することを容易に実現することが可能となる。
【００５７】
以上、本発明に係る実施形態によれば、電力系統の監視を容易に実行可能な電力系統監視装置を提供することが可能となる。
【００５８】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【００５９】
また、上述した実施形態の機能構成をブロック図を用いて説明したが、夫々の各構成はソフトウェアやハードウェアの何れかによって実現されることを限定したものではない。
【符号の説明】
【００６０】
１…電力系統監視装置
２…ネットワーク
３−１、３−２、３−３…遠方監視制御装置
４−１、４−２、４−３…電力系統設備
１１−１、１１−２、１１−３…制御装置
１２…監視制御サーバ
１３…ＬＡＮ
１１１…表示部
１１２…制御装置通信部
１１３…入力部
１１４…入力情報識別部
１１５…表示処理部
１２１…識別情報記憶部
１２２…サーバ通信部
１２３…現在利用者記憶部
１２４…表示情報記憶部
１２５…表示指令部
１２６…状態変化処理部
１２７…状態変化記憶部
【図１】
2014079063.tif 000003
【図２】
2014079063.tif 000004
【図３】
2014079063.tif 000005
【図４】
2014079063.tif 000006
【図５】
2014079063.tif 000007
【図６】
2014079063.tif 000008
【図７】
2014079063.tif 000009
【図８】
2014079063.tif 000010
【図９】
2014079063.tif 000011
【図１０】
2014079063.tif 000012
【図１１】
2014079063.tif 000013